(57)【要約】      （修正有）【課題】異なった用途のナイフ２本とハサミを一つにまとめ、更にコンパクトに折りたためるような構造をもち、しかも衛生的で安全な可動・接続部により実用的な多機能ナイフを提供する。【解決手段】ナイフと鋏を１つにまとめるため、通常ナイフ時には両刃で、反対に峰の部分が鋏時の刃で、若干緩やかな角度の付いた片刃にし、ナイフの峰と鋏時の刃を兼ねており、又ナイフの刃に内カバー２０が掛かることで、鋏の峰となり、鋏として使用できるこれらを一つにまとめて、多機能ナイフを構成する。【選択図】図２
0003158059.tif 000002
【実用新案登録請求の範囲】
【請求項１】
本考案は二つの異なる用途のナイフを一つにまとめたもので、使用しない時には、刃を格納し、携帯できるようにした。
【請求項２】
衛生面においては必要最小限の可動により、２本のナイフに分解でき、手入れが簡単にできるようにした。
【請求項３】
機能面においては、２本のナイフを組み合わせることにより、ハサミとしても使用できる構造をもたせた。
【考案の詳細な説明】
【技術分野】
【０００１】本考案は、異なった用途のナイフ２本とハサミを一つにまとめ、更にコンパクトに折りたためるような構造をもちしかも衛生的で安全な可動・接続部により実用的な多機能ナイフとした。
【背景技術】
【０００２】使用する際に、取りに行ったり、探したりする手間が発生しやすかったり、ハサミの代用として使用することにより危険作業をしがちである。
【考案の開示】
【考案が解決しようとする課題】
【０００３】種類の多いナイフを如何に安全・衛生的・簡単に機能をまとめて一つにできないか。
また、バリエイションにより、組み換え自由自在にできないか。
【課題を解決するための手段】
【０００４】▲１▼  各ナイフの柄を可動し刃の保護カバーとし、それらを結合部の可動により、コンパクトで携帯可能なサイズに変形できるようにした。
▲２▼  手入れしやすく２つのパーツとして、更にその形状自体がナイフとして使用可能とした。
▲３▼  ハサミ形態時の接続部を設けた。
【考案の結果】
【０００５】例えば、肉魚用と野菜用の異なる用途のナイフ２本としては勿論、ハサミとしても使えるようにした。
【考案を実施するための最良の形態】
【０００６】接続と可動部を設けることにより、ハサミとしては２本のパーツだがそれぞれはナイフである。
【図面の簡単な説明】
【０００７】
【図１】安全に携帯できるようにコンパクトに折りたたんだ状態の図とＡ・Ｂ刃接続部の分離時の拡大図である。
【図２】開口時の図であり、使用時の形態に移る時の途中である。
【図３】２本のうち片方のナイフを格納しもう片方は使用状態にある。
【図４】通常の手入れのために、２本に分離、（その形状自体ナイフ時の形状）した図である。
【図５】ハサミ時の形態図
【符号の説明】
【０００８】１  Ａナイフの本体  ２  Ｂナイフの本体  ３  Ａナイフの柄、兼カバー  ４  Ａナイフの柄、兼カバー  ５  ゴム製可動握り部
【産業上の利用可能性】
【０００９】サイズが多様化していますので、当面はオーダーによる生産需要に応じて量産ラインも検討の可能性あり。
【図１】
0003158059.tif 000003
【図２】
0003158059.tif 000004
【図３】
0003158059.tif 000005
【図４】
0003158059.tif 000006
【図５】
0003158059.tif 000007
【手続補正書】
【提出日】平成19年8月14日(2007.8.14)
【手続補正２】
【補正対象書類名】実用新案登録請求の範囲
【補正対象項目名】全文
【補正方法】変更
【補正の内容】
【実用新案登録請求の範囲】
【請求項１】
本考案は二つの異なる用途のナイフを一つにまとめたもので、衛生面においては必要最小限の可動により、２本のナイフに分解でき、手入れが簡単に出来、また使用しない時には、刃を格納し、携帯できるようにした。
【請求項２】
機能面においては、２本のナイフを組み合わせる接続部と指を入れる部分（ゴム製で格納可能）を設けることにより、ハサミとしても使用できる構造をもたせた。
【請求項３】
あらゆる職場に応じてピンセットや（＋・−）ドライバー・ボールペンなどを格納できるスペースを設けた。
【手続補正３】
【補正対象書類名】図面
【補正対象項目名】全図
【補正方法】変更
【補正の内容】
【図１】
0003158059.tif 000008
【図２】
0003158059.tif 000009
【図３】
0003158059.tif 000010
【図４】
0003158059.tif 000011
【図５】
0003158059.tif 000012
【手続補正書】
【提出日】平成19年10月19日(2007.10.19)
【手続補正１】
【補正対象書類名】実用新案登録請求の範囲
【補正対象項目名】全文
【補正方法】変更
【補正の内容】
【実用新案登録請求の範囲】
【請求項１】
本考案はハサミを２本に分離して、それぞれが単独のナイフとして使用でき、使わない時には刃を格納し携帯できるようにした。
【請求項２】
安全面においては、２本のナイフを組み合わせることにより、ハサミへ→ハサミの形状から折りたたんで、更に指を入れる部分をゴム製で格納可能を設けることにより、シンプルな棒状の携帯時の形態なる。
【請求項３】
あらゆる職場に応じてピンセットや（＋・−）ドライバー・ボールペンなどを格納できるスペースを設けた。
【手続補正３】
【補正対象書類名】明細書
【補正対象項目名】０００１
【補正方法】変更
【補正の内容】
【０００１】本考案は、ハサミを２本に分離して、それぞれが異なった用途のナイフ２本として使用できるようにし更にコンパクトに折りたたみ安全に携帯できるようにした。
【手続補正４】
【補正対象書類名】明細書
【補正対象項目名】０００２
【補正方法】変更
【補正の内容】
【０００２】使用する際に、取りに行ったり、探したりする手間が発生する事がしばしばあり、機能を一つにまとめる事により、手間が省けるようになる。
【手続補正５】
【補正対象書類名】明細書
【補正対象項目名】０００７
【補正方法】変更
【補正の内容】
【０００７】
【図１】安全に携帯できるようにコンパクトに折りたたんだ状態の図とＡ・Ｂ刃接続部の分離時の拡大図である。
【図２】開口時の図であり、使用時の形態に移る時の途中である。
【図３】２本のうち片方のナイフを格納しもう片方は使用状態にある。
【図４】通常の手入れのために、２本に分離、（その形状自体ナイフ時の形状）した図である。
【図５】ハサミ時の形態図
【図６】（１）ボールペン時の形状  （２）ドライバー時の形状  （３）ピンセット時の形状
【手続補正６】
【補正対象書類名】図面
【補正対象項目名】図６
【補正方法】追加
【補正の内容】
【図６】
0003158059.tif 000013
【手続補正書】
【提出日】平成20年1月9日(2008.1.9)
【手続補正１】
【補正対象書類名】実用新案登録請求の範囲
【補正対象項目名】全文
【補正方法】変更
【補正の内容】
【実用新案登録請求の範囲】
【請求項１】
本考案はハサミを２本に分離して、それぞれが単独のナイフとして使用でき、使わない時には刃を格納し携帯できる多機能ナイフである。
【請求項２】
安全面においては、２本のナイフを組み合わせることにより、ハサミへ→ハサミの形状から折りたたんで、更に指を入れる部分をゴム製で格納可能を設けることにより、シンプルな棒状の携帯時の形態なる製品である。
【請求項３】
本製品の機能として、職場に応じてピンセットや（＋・−）ドライバー・ボールペンなどを格納できるスペースを設けた。
【手続補正３】
【補正対象書類名】明細書
【補正対象項目名】０００１
【補正方法】変更
【補正の内容】
【０００１】本考案は、ハサミを２本に分離して、それぞれが異なった用途のナイフ２本として使用できるようにし更にコンパクトに折りたたみ安全に携帯できるようにした。
【手続補正４】
【補正対象書類名】明細書
【補正対象項目名】０００２
【補正方法】変更
【補正の内容】
【０００２】使用する際に、取りに行ったり、探したりする手間が発生する事がしばしばあり、機能を一つにまとめる事により、手間が省けるようになる。
【手続補正５】
【補正対象書類名】明細書
【補正対象項目名】０００７
【補正方法】変更
【補正の内容】
【０００７】
【図１】安全に携帯できるようにコンパクトに折りたたんだ状態の図とＡ・Ｂ刃接続部の分離時の拡大図である。
【図２】開口時の図であり、使用時の形態に移る時の途中である。
【図３】２本のうち片方のナイフを格納しもう片方は使用状態にある。
【図４】通常の手入れのために、２本に分離、（その形状自体ナイフ時の形状）した図である。
【図５】ハサミ時の形態図
【図６】（１）ボールペン時の形状  （２）ドライバ時の形状  （３）ピンセット時の形状
【手続補正６】
【補正対象書類名】図面
【補正対象項目名】図６
【補正方法】追加
【補正の内容】
【図６】
0003158059.tif 000014
【手続補正書】
【提出日】平成20年3月17日(2008.3.17)
【手続補正１】
【補正対象書類名】実用新案登録請求の範囲
【補正対象項目名】全文
【補正方法】変更
【補正の内容】
【実用新案登録請求の範囲】
【請求項１】
本考案はハサミを２本に分離して、それぞれが単独のナイフとして使用でき、使わない時には刃を格納し携帯できる構造の多機能ナイフである。
【請求項２】
安全面においては、２本のナイフを組み合わせることにより、ハサミへ→ハサミの形状から折りたたんで、更に指を入れる部分をゴム製で格納できる構造にすることで、シンプルな棒状の携帯時の形態になる多機能ナイフである。
【請求項３】
本製品の機能として、職場に応じてピンセットや（＋・−）ドライバー・ボールペンなどを格納できる構造である。
【手続補正２】
【補正対象書類名】明細書
【補正対象項目名】全文
【補正方法】変更
【補正の内容】
【考案の詳細な説明】
【技術分野】
【０００１】本考案は、ハサミを分離して、それぞれが異なった用途のナイフ２本として使用できるようにし、更にコンパクトに折りたたみ安全に携帯できるようにした。
【背景技術】
【０００２】使用する際に、取りに行ったり、探したりする手間が発生する事がしばしばあり、機能を一つにまとめる事により、手間が省けるようになる。
【考案の開示】
【考案が解決しようとする課題】
【０００３】種類の多いナイフを如何に安全・衛生的・簡単に機能をまとめて一つにできないか。
また、バリエイションにより、組み換え自由自在にできないか。
【課題を解決するための手段】
【０００４】▲１▼各ナイフの柄を可動し刃の保護カバーとし、それらを結合部の可動により、コンパクトで携帯可能なサイズに変形できるようにした。
▲２▼  手入れしやすく２つのパーツとして、更にその形状自体がナイフとして使用可能とした。
▲３▼  ハサミ形態時の接続部を設けた。
【考案の結果】
【０００５】例えば、肉魚用と野菜用の異なる用途のナイフ２本としてては勿論、ハサミとしても使えるようにした。
【考案を実施するための最良の形態】
【０００６】接続と可動部を設けることにより、ハサミとしては２本のパーツだがそれぞれはナイフである。
【図面の簡単な説明】
【０００７】
【図１】（１）携帯時の図（２）携帯時の側面図（３）Ａ・Ｂ刃接続部の分解時の拡大図
【図２】（１）開口時の図（２）開口時の側面図（３）分解過程図
【図３】使用時の図  ２本のうち片方のナイフを格納しもう片方は使用状態にある。
【図４】分解したＡナイフ  通常の手入れのために２本に分離し、その形状自体ナイフ時の形状である。
【図５】ハサミ時の形態図
【図６】（１）赤・黒ボールペンの形状（２）プラス・マイナス  ドライバーの形状（３）ピンセットの形状
【符号の説明】
【０００８】１Ａナイフの柄、兼カバー  ２Ｂナイフの柄、兼カバー  ３  Ａナイフの本体  ４  Ｂナイフの本体  ５Ａ・Ｂナイフの接続部  ６ナイフと柄の接続部  ７ハサミ時の接続部  ８Ａナイフ  ９Ｂナイフ  １０  ゴム製可動握り部
【手続補正３】
【補正対象書類名】図面
【補正対象項目名】全図
【補正方法】変更
【補正の内容】
【図１】
0003158059.tif 000015
【図２】
0003158059.tif 000016
【図３】
0003158059.tif 000017
【図４】
0003158059.tif 000018
【図５】
0003158059.tif 000019
【図６】
0003158059.tif 000020
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
本考案はハサミを２本に分離して、それぞれが単独のナイフとして使用でき、使わない時には刃を格納し携帯できるタカヤイバ式多機能ナイフです。
【請求項２】
機能面においては、２本のナイフを組み合わせて、指を入れる部分をゴム製で格納可能にした。
【請求項３】
本製品の機能として、職場に応じてピンセットやプラス・マイナス  ドライバー・ボールペンなどを格納できる構造のタカヤイバ式多機能ナイフです。
【請求項４】
ハサミを開く時に板バネの力で開をサポートにした。
【手続補正２】
【補正対象書類名】明細書
【補正対象項目名】全文
【補正方法】変更
【補正の内容】
【考案の詳細な説明】
【技術分野】
【０００１】本考案は、ハサミを分離して、それぞれが異なった用途のナイフ２本として使用できるようにし、更にコンパクトに折りたたみ安全に携帯できるようにした。
【背景技術】
【０００２】使用する際に、取りに行ったり、探したりする手間が発生する事がしばしばあり、機能を一つにまとめる事により、手間が省けるようになる。
【考案の開示】
【考案が解決しようとする課題】
【０００３】種類の多いナイフを如何に安全・衛生的・簡単に機能をまとめて一つにできないか。
また、バリエイションにより、組み換え自由自在にできないか。
【課題を解決するための手段】
【０００４】▲１▼各ナイフの柄を可動し刃の保護カバーとし、それらを結合部の可動により、コンパクトで携帯可能なサイズに変形できるようにした。
▲２▼手入れしやすく２つのパーツとして、更にその形状自体がナイフとして使用可能とした。
▲３▼ハサミ形態時の接続部を設けた。
【考案の結果】
【０００５】例えば、肉魚用と野菜用の異なる用途のナイフ２本としては勿論、ハサミとしても使えるようにした。
【考案を実施するための最良の形態】
【０００６】接続と可動部を設けることにより、ハサミとしては２本のパーツだがそれぞれはナイフである。
【図面の簡単な説明】
【０００７】
【図１】（１）携帯時の図（２）携帯時の側面図（３）Ａ・Ｂ刃接続部の分解時の拡大図
【図２】（１）開口時の図（２）開口時の側面図（３）分解過程図
【図３】使用時の図  ２本のうち片方のナイフを格納しもう片方は使用状態にある。
【図４】分解したＡ・Ｂナイフ  通常の手入れのために２本に分離し、その形状自体ナイフ時の形状である。
【図５】ハサミ時の形態図
【図６】（１）赤・黒ボールペンの形状（２）プラス・マイナス  ドライバーの形状（３）ピンセットの形状
【符号の説明】
【０００８】１Ａナイフの柄、兼カバー  ２Ｂナイフの柄、兼カバー  ３  Ａナイフの本体  ４  Ｂナイフの本体  ５Ａ・Ｂナイフの接続部  ６ナイフと柄の接続部  ７ハサミ時の接続部  ８Ａナイフ  ９Ｂナイフ  １０  ゴム製可動握り部  １１板ばね  Ａ接続部後方に開をサポートするように、板ばねを接続したハサミの断面図
【手続補正３】
【補正対象書類名】図面
【補正対象項目名】全図
【補正方法】変更
【補正の内容】
【図１−（１）】
0003158059.tif 000021
【図１−（２）】
0003158059.tif 000022
【図１−（３）】
0003158059.tif 000023
【図２−（１）】
0003158059.tif 000024
【図２−（２）】
0003158059.tif 000025
【図２−（３）】
0003158059.tif 000026
【図３】
0003158059.tif 000027
【図４】
0003158059.tif 000028
【図５】
0003158059.tif 000029
【図６−（１）】
0003158059.tif 000030
【図６−（２）】
0003158059.tif 000031
【図６−（３）】
0003158059.tif 000032
【手続補正書】
【提出日】平成20年9月17日(2008.9.17)
【手続補正１】
【補正対象書類名】実用新案登録請求の範囲
【補正対象項目名】全文
【補正方法】変更
【補正の内容】
【実用新案登録請求の範囲】
【請求項１】
本考案はハサミを２本に分離して、それぞれが単独のナイフとして使用でき、使わない時には刃を格納し携帯できるタカヤイバ式多機能ナイフです。
【請求項２】
機能面においては、２本のナイフを組み合わせて、指を入れる部分をゴム製で格納可能とした、鋏の構造を特徴とする請求項１記載の多機能ナイフ。
【請求項３】
本製品の機能として、用途に応じてピンセットやプラス・マイナス  ドライバー・ボールペンなどを格納できる構造を特徴とする請求項１記載の多機能ナイフ。
【請求項４】
ハサミを開く時に板バネの力で開をサポートする機能を特徴とする請求項１記載の多機能ナイフ。
【手続補正書】
【提出日】平成21年1月13日(2009.1.13)
【手続補正１】
【補正対象書類名】実用新案登録請求の範囲
【補正対象項目名】全文
【補正方法】変更
【補正の内容】
【実用新案登録請求の範囲】
【請求項１】
ハサミ時の刃がナイフ時の峰となり、さらに内カバーにより、今度は逆にナイフの刃がハサミの峰となり、刃を一つのまとめた、タカヤイバ式多機能ナイフ。
【請求項２】
略、同形状を可能とすることでハサミやナイフ・ボールペン・ドライバ・ピンセットなど格納する機能を有する請求項１記載のタカヤイバ式多機能ナイフ。
【請求項３】
ハサミの柄をゴム製にし、コンパクトに折りたためるようにした請求項１記載のタカヤイバ式多機能ナイフ。
【請求項４】
ハサミの開閉サポートを可能とするため、ナイフａとｂを接続する時の半球型凸凹接続ギア部一連の機能を有する請求項１記載のタカヤイバ式多機能ナイフ。
【手続補正２】
【補正対象書類名】明細書
【補正対象項目名】全文
【補正方法】変更
【補正の内容】
【考案の詳細な説明】
【技術分野】
【０００１】本考案は、携帯できる多機能道具
【背景技術】
【０００２】携帯といえば携帯電話、次に財布、そこで仕事の上で必要な携帯品は出来ないか。
【考案の開示】
【考案が解決しようとする課題】
【０００３】ハサミの柄が邪魔で、更にナイフとハサミの刃先の違うものを一つにまとめられないか。
【課題を解決するための手段】
【０００４】本考案はハサミ時には可動内カバーをナイフの刃にセットすることにより、ナイフのミネが刃になり、また今度は２本に分離して、更に逆にハサミ時の刃が、可動内カバーを移動させることにより、ミネになり、それぞれが単独のナイフとして使用でき、使わない時には刃を格納し携帯できるようにした。【０００５】ハサミの指を入れる部分をゴム製にし、格納することで、コンパクトに折りたたみ、棒状の形態を可能とした。【０００６】本製品の機能として、棒状の形状に格納出来ることにより、各道具・工具の略、同形状で、用途に応じてピンセットやプラス・マイナス  ドライバー・ボールペンなどを格納できる構造を特徴可能とする。【０００７】ハサミを開口接続し、ａのハサミ時の接続部先端ギアとナイフｂのギアが半球型凸凹ギアにより、接続され、ばねの力伝えるもので、閉じて切る時にギアを介する事により、バネの力で開をサポートする機能を特徴とするもので、又ハサミ時の接続を閉口接続することにより、逆に閉じをサポートする。
【考案の効果】
【０００８】いろんな用途に応じてコンパクトな携帯工具が出来た
【考案を実施するための最良の形態】
【０００９】ボールペンやドライバー・ピンセットなど略、同形状にすることにより、多機能化
【図面の簡単な説明】
【００１０】
【図１】（１）携帯時の図  （２）携帯時の側面図
【図２】（１）ナイフ時の開口図  （２）ナイフ時の開口側面図  （３）分離過程図
【図３】使用時の図  ２本のうち片方のナイフを格納しもう片方は使用状態にある。
【図４】（１）分解した使用時のナイフａ（２）内保護カバーが掛かった状態のナイフｂ
【図５】ハサミ時の形態図
【図６】（１）赤・黒ボールペンの形状（２）プラス・マイナス  ドライバーの形状（３）ピンセットの形状
【符号の説明】
【００１１】１ａナイフの柄、兼外カバー  ２ｂナイフの柄、兼外カバー  ３  ａナイフの本体（刃部）  ４  ｂナイフの本体（刃部）  ５ａ・ｂナイフの接続部  ６ナイフと内外カバーの接続部  ７ハサミ時の接続部部兼先端ギア  ８ａナイフ  ９ｂナイフ  １０ゴム製可動握り部  １１ギア  １２螺旋の支柱  １３支柱受  １４バネ  １５半球型ギア凸  １６半球型ギア凹  １７ハサミ時の可動留金  １８ワッシャー  １９ハサミ時の接続口  ２０内カバー  Ａａ・ｂ刃接続部の分解時の拡大図Ｂ開又は、閉補助ギア部  Ｃ半球型ギア凸・凹の拡大図  Ｄハサミ時の可動接続部  Ｅ  ハサミ時の開口接続時の留金拡大図
【手続補正３】
【補正対象書類名】図面
【補正の内容】
0003158059.tif 000033
【手続補正書】
【提出日】平成21年4月6日(2009.4.6)
【手続補正１】
【補正対象書類名】実用新案登録請求の範囲
【補正対象項目名】全文
【補正方法】変更
【補正の内容】
【実用新案登録請求の範囲】
【請求項１】
通常ナイフ時には鋏のときの刃は峰となり、またナイフの刃に内カバーを掛ける
ことで、鋏時の峰となるように刃を一つにまとめた、タカヤイバ式多機能ナイフ。
【請求項２】
一般的なボールペンやドライバーなどと、ほぼ同形状の棒状に格納可能なハサミで、分解してナイフ更に先端部には、ボールペン・ドライバ・ピンセットなど交換、格納する機能を有する請求項１記載のタカヤイバ式多機能ナイフ。
【請求項３】
ハサミの柄をゴム製にし、コンパクトに折りたためるようにした請求項１記載のタカヤイバ式多機能ナイフ。
【請求項４】
ハサミの開閉サポートを可能とするため、ナイフaとbを接続する時の半球型凸
凹接続ギア部一連の機能 を有する請求項１記載のタカヤイバ式多機能ナイフ。
【手続補正２】
【補正対象書類名】明細書
【補正対象項目名】全文
【補正方法】変更
【補正の内容】
【考案の詳細な説明】
【技術分野】
【０００１】
本考案は、携帯できる多機能道具
【背景技術】
【０００２】
携帯といえば携帯電話、次に財布、そこで仕事の上で必要な携帯品は出来ないか。
【先行技術文献】
【特許文献】
【０００３】
【特許文献１】なし
【非特許文献】
【０００４】
【非特許文献１】なし
【考案の開示】
【考案が解決しようとする課題】
【０００５】
ハサミの柄が邪魔で、更にナイフとハサミの刃先の違うものを一つにまとめられないか。
【課題を解決するための手段】
【０００６】
本考案はハサミ時には可動内カバーをナイフの刃にセットすることにより、ナイフのミネが刃になり、また今度は２本に分離して、更に逆にハサミ時の刃が、可動内カバーを移動させることにより、ミネになり、それぞれが単独のナイフとして使用でき、使わない時には刃を格納し携帯できるようにした。
【０００７】
ハサミの指を入れる部分をゴム製にし、格納することで、コンパクトに折りたたみ、棒状の形態を可能とした。
【０００８】
本製品の機能として、棒状の形状に格納出来ることにより、各道具・工具の略、同形状で、用途に応じてピンセットやプラス・マイナス  ドライバー・ボールペンなどを格納できる構造を特徴可能とする。
【０００９】
ハサミを開口接続し、aのハサミ時の接続部先端ギアとナイフbのギアが半球型凸凹ギアにより、接続され、ばねの力伝えるもので、閉じて切る時にギアを介する事により、バネの力で開をサポートする機能を特徴とするもので、又ハサミ時の接続を閉口接続することにより、逆に閉じをサポートする。
【考案の効果】
【００１０】
いろんな用途に応じてコンパクトな携帯工具が出来た
【考案を実施するための最良の形態】
【００１１】
ボールペンやドライバー・ピンセットなど略、同形状にすることにより、多機能化
【図面の簡単な説明】
【００１２】
【図１】（１）携帯時の図 （２）携帯時の側面図
【図２】（１）ナイフ時の開口側面図 （２）ナイフ時の開口図（３）分離過程図
【図３】（１）使用時の図                ２本のうち片方のナイフを格納しもう片方は使用状態にある。          （２）内保護カバーが掛かった状態        （２）分解した使用時のナイフa（３）内保護カバーが掛かった状態のナイフ b
【図４】ハサミ時の形態図
【図５】（１）赤・黒ボールペン使用時の図（２）プラス・マイナス  ドライバー使用時の図（３）ピンセット使用時の図
【符号の説明】
【００１３】
１刃接続部オスaナイフの柄、兼外カバー  ２刃接続部メスbナイフの柄、兼外カバー  ３刃接続部オスaナイフの本体（刃部）  ４刃接続部メスbナイフの本体（刃部）  ５a・bナイフの接続部  ６ナイフと内外カバーの接続部  ７ハサミ時の接続部部兼先端ギア  ８aナイフ  ９bナイフ  １０ゴム製可動握り部  １１ギア  １２螺旋の支柱  １３支柱受  １４バネ  １５半球型ギア凸（接続ギア凸）  １６半球型ギア凹（接続ギア凹）  １７ハサミ時の可動留金１８ワッシャー１９ハサミ時の接続口２０内カバー
A a・b刃接続部の分解時の拡大図 B上部はナイフ時の刃で下部は鋏時の刃断面図Cナイフの刃に内カバーを掛けた状態の断面図  D半球型ギア凸・凹接続前  E  ハサミ時の留金拡大図F ハサミ時の可動接続部拡大図G半球型ギア凸・凹接続時の拡大図H開閉補助ギア部I鋏時の刃と内カバー断面図 Jボールペン Kパーツ接続部 L  マイナスドライバー Mピンセット先端部
【手続補正３】
【補正対象書類名】図面
【補正対象項目名】全図
【補正方法】変更
【補正の内容】
【図１】
0003158059.tif 000034
【図２】
0003158059.tif 000035
【図３】
0003158059.tif 000036
【図４】
0003158059.tif 000037
【図５】
0003158059.tif 000038
【手続補正書】
【提出日】平成21年6月28日(2009.6.28)
【手続補正１】
【補正対象書類名】実用新案登録請求の範囲
【補正対象項目名】全文
【補正方法】変更
【補正の内容】
【実用新案登録請求の範囲】
【請求項１】
ナイフと鋏を１つにまとめるため、通常ナイフ時には両刃で、反対に峰の部分が鋏時の刃で、若干緩やかな角度の付いた片刃にし、ナイフの峰と鋏時の刃を兼務しており、又ナイフの刃に内カバーが掛かることで、鋏の峰となり、鋏として使用できるこれらを一つにまとめた、タカヤイバ式多機能ナイフ。
【請求項２】
一般的なボールペンやドライバーなどと、ほぼ同形状の棒状に格納可能なハサミで、先端部には、ボールペン・ドライバ・ピンセットなど交換、格納し、更に分離してナイフになる機能を有する請求項１記載のタカヤイバ式多機能ナイフ。
【請求項３】
ハサミの柄をゴム製にし、コンパクトに折りたためるようにした請求項１記載のタカヤイバ式多機能ナイフ。
【請求項４】
ハサミの開閉サポートを可能とするため、ナイフaとbを接続する時、半球型凸凹接続ギア部などの一連の機能
を有する請求項１記載のタカヤイバ式多機能ナイフ。
【手続補正２】
【補正対象書類名】明細書
【補正対象項目名】全文
【補正方法】変更
【補正の内容】
【考案の詳細な説明】
【技術分野】
【０００１】
本考案は、携帯できる多機能道具
【背景技術】
【０００２】
あらゆる職業、年齢を問わず使用頻度の高い用具や工具を一つにまとめた携帯道具は出来ないか。
【先行技術文献】
【特許文献】
【０００３】
【特許文献１】なし
【非特許文献】
【０００４】
【非特許文献１】なし
【考案の開示】
【考案が解決しようとする課題】
【０００５】
コンパクトなデザインにするため、ハサミの柄が邪魔で、又ナイフとハサミの刃先の違うものを一つにまとめられないか。
【課題を解決するための手段】
【０００６】
本考案はハサミ時には可動内カバーをナイフの刃にセットすることにより、鋏の峰とし、反対にナイフのミネが刃になり、次に、鋏を２本に分離して、ハサミ時の刃が若干角度の付いたミネになり、可動内カバーを移動させることにより、ナイフの刃を開放し、それぞれが単独のナイフとして使用でき、使わない時には刃を格納し携帯できるようにした。
【０００７】
ハサミの指を入れる部分をゴム製にし、格納することで、コンパクトに折りたたみ、棒状の形態を可能とした。
【０００８】
本製品の機能として、棒状の形状に格納出来ることにより、各道具・工具の略、同形状で、用途に応じてピンセットやプラス・マイナス  ドライバー・ボールペンなどを格納できる構造を特徴とする。
【０００９】
ハサミを開口接続し、aのハサミ時の接続部兼先端ギアとナイフbギアの半球
型凸凹ギアにより、接続され、ばねの力伝えるもので、開口接続により、ギアを介し、バネの力で開をサポートする機能を特徴とするもので、又ハサミ時の接続を閉口接続することにより、逆に閉じをサポートする。
【考案の効果】
【００１０】
いろんな用途に応じてコンパクトな携帯道具が出来た
【考案を実施するための最良の形態】
【００１１】
ボールペンやドライバー・ピンセットなど略、同形状にすることにより、多機能化
【図面の簡単な説明】
【００１２】
【図１】（１）携帯時の図 （２）携帯時の側面図
【図２】（１）分離過程図１（２）分離過程図２（３）分離過程図３
【図３】（１）使用時の図                ２本のうち片方のナイフを格納しもう片方は使用状態にある。          （２）内保護カバーが掛かった状態        （３）分解した使用時のナイフa（４）内保護カバーが掛かった状態のナイフ b
【図４】刃の拡大図
【図５】ハサミ時の形態図
【図６】（１）赤・黒ボールペン使用時の図（２）プラス・マイナス  ドライバー使用時の図（３）ピンセット使用時の図
【符号の説明】
【００１３】
１刃接続部オスaナイフの柄、兼外カバー  ２刃接続部メスbナイフの柄、兼外カバー  ３刃接続部オスaナイフの本体（刃部）  ４刃接続部メスbナイフの本体（刃部）  ５a・bナイフの接続部  ６ナイフと内外カバーの接続部  ７ハサミ時の接続部兼先端ギア  ８aナイフ  ９bナイフ  １０ゴム製格納式握り部  １１ギア  １２螺旋の支柱  １３支柱受  １４バネ  １５半球型ギア凸（接続ギア凸）  １６半球型ギア凹（接続ギア凹）  １７ハサミ時の可動留金１８ワッシャー１９ハサミ時の接続口２０内カバー
A a・b刃接続部の分解時の拡大図
B上部は鋏時の刃兼ナイフの峰で下部はナイフ時の刃断面図Cナイフの刃に内カバーを掛けた状態の断面図  D半球型ギア凸・凹接続ギア格納接続前時の拡大図      E半球型ギア凸・凹の接続ギアの先端部  F  ハサミ時の、留金拡大図Gハサミ時の接続部兼先端ギア接続時の拡大図H開閉補助ギア部（半球型ギア凸・凹接続時）の拡大図I鋏時の刃と内カバー断面図
Jボールペン Kパーツ接続部 L  マイナスドライバー Mピンセット先端部N若干開いた状態の鋏時の刃と内カバー断面図
【手続補正３】
【補正対象書類名】図面
【補正対象項目名】全図
【補正方法】変更
【補正の内容】
【図１】
0003158059.tif 000039
【図２】
0003158059.tif 000040
【図３】
0003158059.tif 000041
【図４】
0003158059.tif 000042
【図５】
0003158059.tif 000043
【図６】
0003158059.tif 000044
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
ナイフと鋏を１つにまとめるため、通常ナイフ時には両刃で、反対に峰の部分が鋏時の刃で、若干緩やかな角度の付いた片刃にし、ナイフの峰と鋏時の刃を兼務しており、又ナイフの刃に内カバーが掛かることで、鋏の峰となり、鋏として使用できるこれらを一つにまとめた、タカヤイバ式多機能ナイフ。
【請求項２】
先端部には、ボールペン・ドライバ・ピンセットなどソケット式で交換、また接続したまま本体に格納できる機能を有する請求項１記載のタカヤイバ式多機能ナイフ。
【請求項３】
一般的なボールペンやドライバーなどと、略同形状の棒状に格納するため、鋏の指を通す部分がゴム製で、真っ直ぐな状態で本体に格納されており、使用する際は、本体接続部の可動部をスライドさせ弓なりに変形させ鋏の柄を形成する機能を有する請求項１記載のタカヤイバ式多機能ナイフ。
【請求項４】
鋏の開閉サポートを可能とするため、接続部オスナイフと接続部メスナイフを接続する際、半球型凸凹接続ギア部などの一連の機能 を有する請求項１記載のタカヤイバ式多機能ナイフ。
【手続補正２】
【補正対象書類名】明細書
【補正対象項目名】全文
【補正方法】変更
【補正の内容】
【考案の詳細な説明】
【技術分野】
【０００１】
本考案は、携帯できる多機能道具
【背景技術】
【０００２】
あらゆる職業、年齢を問わず使用頻度の高い用具や工具を一つにまとめた携帯道具は出来ないか。
【先行技術文献】
【特許文献】
【０００３】
【特許文献１】なし
【非特許文献】
【０００４】
【非特許文献１】なし
【考案の開示】
【考案が解決しようとする課題】
【０００５】
コンパクトなデザインにするため、鋏の柄が邪魔で、又ナイフと鋏の刃先の違うものを一つにまとめられないか。
【課題を解決するための手段】
【０００６】
本考案は鋏時には可動内カバーをナイフの刃にセットすることにより、鋏の峰とし、反対にナイフのミネが刃になり、次に、鋏を２本に分離して、鋏時の刃が若干角度の付いたミネになり、可動内カバーを移動させることにより、ナイフの刃を開放し、それぞれが単独のナイフとして使用でき、使わない時には刃を格納し携帯できるようにした。
【０００７】
鋏の指を入れる部分をゴム製にし、格納することで、コンパクトに折りたたみ、棒状の形態を可能とした。
【０００８】
本製品の機能として、棒状の形状に格納出来ることにより、各道具・工具の略、同形状で、用途に応じてピンセットやプラス・マイナス  ドライバー・ボールペンなどを格納できる構造を特徴とする。
【０００９】
鋏を開口接続し、接続部オスナイフの鋏時の接続部兼先端ギアと接続部メスナイフのギアの半球
型凸凹ギアにより、接続され、ばねの力伝えるもので、開口接続により、ギアを介し、バネの力で開をサポートする機能を特徴とするもので、又鋏時の接続を閉口接続することにより、逆に閉じをサポートする。
【考案の効果】
【００１０】
いろんな用途に応じてコンパクトな携帯道具が出来た
【考案を実施するための最良の形態】
【００１１】
ボールペンやドライバー・ピンセットなど略、同形状にすることにより、多機能化
【図面の簡単な説明】
【００１２】
【図１】（１）携帯時の図 （２）携帯時の側面図
【図２】（１）分離過程図１（２）分離過程図２（３）分離過程図３
【図３】（１）使用時の図                ２本のうち片方のナイフを格納しもう片方は使用状態にある。          （２）内保護カバーが掛かった状態        （３）分解した使用時のナイフa（４）内保護カバーが掛かった状態のナイフ b
【図４】刃の拡大図
【図５】鋏時の形態図
【図６】（１）赤・黒ボールペン使用時の図（２）プラス・マイナス  ドライバー使用時の図（３）ピンセット使用時の図
【符号の説明】
【００１３】
１刃接続部オスナイフの柄、兼外カバー  ２刃接続部メスナイフの柄、兼外カバー  ３刃接続部オスナイフの本体（刃部）  ４刃接続部メスナイフの本体（刃部）  ５接続部オス・メスナイフの接続部  ６ナイフと内外カバーの接続部  ７鋏時の接続部兼先端ギア  ８接続部オスナイフ  ９接続部メスナイフ  １０ゴム製格納式握り部  １１ギア  １２螺旋の支柱  １３支柱受  １４バネ  １５半球型ギア凸（接続ギア凸）  １６半球型ギア凹（接続ギア凹）  １７鋏時の可動留金１８ワッシャー１９鋏時の接続口２０内カバー
A 接続部オス・メスナイフの刃接続部、分解時の拡大図 B上部は鋏時の刃兼ナイフの峰で下部はナイフ時の刃断面図Cナイフの刃に内カバーを掛けた状態の断面図  D半球型ギア凸・凹接続ギア格納接続前時の拡大図      E半球型ギア凸・凹の接続ギアの先端部  F  鋏時の、留金拡大図G鋏時の接続部兼先端ギア接続時の拡大図H開閉補助ギア部（半球型ギア凸・凹接続時）の拡大図I鋏時の刃と内カバー断面図
Jボールペン Kパーツ接続部 L  マイナスドライバー Mピンセット先端部N若干開いた状態の鋏時の刃と内カバー断面図
【手続補正３】
【補正対象書類名】図面
【補正対象項目名】全図
【補正方法】変更
【補正の内容】
【図１】
0003158059.tif 000045
【図２】
0003158059.tif 000046
【図３】
0003158059.tif 000047
【図４】
0003158059.tif 000048
【図５】
0003158059.tif 000049
【図６】
0003158059.tif 000050
【手続補正書】
【提出日】平成21年10月9日(2009.10.9)
【手続補正１】
【補正対象書類名】実用新案登録請求の範囲
【補正対象項目名】全文
【補正方法】変更
【補正の内容】
【実用新案登録請求の範囲】
【請求項１】
ナイフと鋏を１つにまとめるため、通常ナイフ時には両刃で、反対に峰の部分が鋏時の刃で、若干緩やかな角度の付いた片刃にし、ナイフの峰と鋏時の刃を兼務しており、又ナイフの刃に内カバーが掛かることで、鋏の峰となり、鋏として使用できるこれらを一つにまとめた、多機能ナイフ。
【請求項２】
先端部には、ボールペン・ドライバ・ピンセットなどソケット式で交換、また接続したまま本体に格納できる機能を有する請求項１記載の多機能ナイフ。
【請求項３】
ボールペンやドライバーなどと、略同形状の棒状に格納するため、鋏の指を通す部分がゴム製で、真っ直ぐな状態で本体に格納されており、使用する際は、本体接続部の可動部をスライドさせ弓なりに変形させ鋏の柄を形成する機能を有する請求項１記載の多機能ナイフ。
【請求項４】
鋏の開閉サポートを可能とするため、接続部オスナイフと接続部メスナイフを接続する際、半球型凸凹接続ギア部などの一連の機能 を有する請求項１記載の多機能ナイフ。
【手続補正２】
【補正対象書類名】明細書
【補正対象項目名】全文
【補正方法】変更
【補正の内容】
【考案の詳細な説明】
【技術分野】
【０００１】
本考案は、携帯できる多機能道具
【背景技術】
【０００２】
あらゆる職業、年齢を問わず使用頻度の高い用具や工具を一つにまとめた携帯道具は出来ないか。
【先行技術文献】
【特許文献】
【０００３】
【特許文献１】なし
【非特許文献】
【０００４】
【非特許文献１】なし
【考案の開示】
【考案が解決しようとする課題】
【０００５】
コンパクトなデザインにするため、鋏の柄が邪魔で、又ナイフと鋏の刃先の違うものを一つにまとめられないか。
【課題を解決するための手段】
【０００６】
本考案は鋏時には可動内カバーをナイフの刃にセットすることにより、鋏の峰とし、反対にナイフのミネが刃になり、次に、鋏を２本に分離して、鋏時の刃が若干角度の付いたミネになり、可動内カバーを移動させることにより、ナイフの刃を開放し、それぞれが単独のナイフとして使用でき、使わない時には刃を格納し携帯できるようにした。
【０００７】
鋏の指を入れる部分をゴム製にし、格納することで、コンパクトに折りたたみ、棒状の形態を可能とした。
【０００８】
本製品の機能として、棒状の形状に格納出来ることにより、各道具・工具の略、同形状で、用途に応じてピンセットやプラス・マイナス  ドライバー・ボールペンなどを格納できる構造を特徴とする。
【０００９】
鋏を開口接続し、接続部オスナイフの鋏時の接続部兼先端ギアと接続部メスナイフのギアの半球
型凸凹ギアにより、接続され、ばねの力伝えるもので、開口接続により、ギアを介し、バネの力で開をサポートする機能を特徴とするもので、又鋏時の接続を閉口接続することにより、逆に閉じをサポートする。
【考案の効果】
【００１０】
いろんな用途に応じてコンパクトな携帯道具が出来た
【考案を実施するための最良の形態】
【００１１】
ボールペンやドライバー・ピンセットなど略、同形状にすることにより、多機能化
【図面の簡単な説明】
【００１２】
【図１】（１）携帯時の図 （２）携帯時の側面図
【図２】（１）分離過程図１（２）分離過程図２（３）分離過程図３
【図３】（１）使用時の図                ２本のうち片方のナイフを格納しもう片方は使用状態にある。          （２）内保護カバーが掛かった状態        （３）分解した使用時のナイフa（４）内保護カバーが掛かった状態のナイフ b
【図４】刃の拡大図
【図５】鋏時の形態図
【図６】（１）赤・黒ボールペン使用時の図（２）プラス・マイナス  ドライバー使用時の図（３）ピンセット使用時の図
【符号の説明】
【００１３】
１刃接続部オスナイフの柄、兼外カバー  ２刃接続部メスナイフの柄、兼外カバー  ３刃接続部オスナイフの本体（刃部）  ４刃接続部メスナイフの本体（刃部）  ５接続部オス・メスナイフの接続部  ６ナイフと内外カバーの接続部  ７鋏時の接続部兼先端ギア  ８接続部オスナイフ  ９接続部メスナイフ  １０ゴム製格納式握り部  １１ギア  １２螺旋の支柱  １３支柱受  １４バネ  １５半球型ギア凸（接続ギア凸）  １６半球型ギア凹（接続ギア凹）  １７鋏時の可動留金１８ワッシャー１９鋏時の接続口２０内カバー
A 接続部オス・メスナイフの刃接続部、分解時の拡大図 B上部は鋏時の刃兼ナイフの峰で下部はナイフ時の刃断面図Cナイフの刃に内カバーを掛けた状態の断面図  D半球型ギア凸・凹接続ギア格納接続前時の拡大図      E半球型ギア凸・凹の接続ギアの先端部  F  鋏時の、留金拡大図G鋏時の接続部兼先端ギア接続時の拡大図H開閉補助ギア部（半球型ギア凸・凹接続時）の拡大図I鋏時の刃と内カバー断面図
Jボールペン Kパーツ接続部 L  マイナスドライバー Mピンセット先端部N若干開いた状態の鋏時の刃と内カバー断面図
【手続補正３】
【補正対象書類名】図面
【補正対象項目名】全図
【補正方法】変更
【補正の内容】
【図１】
0003158059.tif 000051
【図２】
0003158059.tif 000052
【図３】
0003158059.tif 000053
【図４】
0003158059.tif 000054
【図５】
0003158059.tif 000055
【図６】
0003158059.tif 000056